(57)【特許請求の範囲】
【請求項１】
水槽と、この水槽に供給する食塩水を貯留する食塩水タンクと、前記水槽の水を電気分解して活性酸素種を含む電解水を生成する電解ユニットと、この電解ユニットからの電解水が供給される気液接触部材と、この気液接触部材に室内空気を送風する送風機とを備え、室内空気と電解水を接触し、除菌した空気を室内に環流する空気除菌装置において、
前記水槽、前記食塩水タンク、前記電解ユニット、さらに前記食塩水タンクから前記水槽に食塩水を供給する食塩水供給ポンプと、前記電解ユニットから前記気液接触部材に電解水を供給する電解水供給ポンプと、前記食塩水タンクと前記食塩水供給ポンプの接続部、及び、前記食塩水タンクと並列に増設食塩水タンクを接続するための接続部を有する略Ｔ字状の接続部材と、を単一のケース内に収納し、
前記増設食塩水タンクを増設ケース内に収納し、
前記増設ケースは、前記ケースの背面パネルと略同一の大きさに形成されて当該背面パネルと差し替え可能な、前記増設食塩水タンクから延出する延出管を前記ケース内に導くための貫通孔を有するパネルを備えた
ことを特徴とする空気除菌装置。
【請求項２】
前記接続部材が、前記食塩水タンクと前記食塩水供給ポンプとを連結する連結管に設けられることを特徴とする請求項１に記載の空気除菌装置。
【請求項３】
前記水槽と前記食塩水タンクとを隣接して配置し、
前記増設食塩水タンクから延出する延出管を、前記水槽と前記食塩水タンクとの間の隙間を通して配管し、前記隙間の端部で前記接続部材に接続したことを特徴とする請求項１又は２に記載の空気除菌装置。
【請求項４】
前記接続部材をワンタッチ継ぎ手で形成したことを特徴とする請求項１乃至３のいずれかに記載の空気除菌装置。
【請求項５】
前記延出管を弾性部材で形成したことを特徴とする請求項１乃至４のいずれかに記載の空気除菌装置。
【発明の詳細な説明】
【技術分野】
【０００１】
本発明は、ウィルス、細菌、真菌等の空中浮遊微生物（以下、単に「ウィルス等」という）の除去が可能な空気除菌装置に関する。
【背景技術】
【０００２】
従来、水道水を電気分解して次亜塩素酸を含む電解水を生成させ、この電解水を用いて空気中に浮遊するウィルス等の除去を図った空気除菌装置が提案されている（例えば、特許文献１参照）。この空気除菌装置は、不織布等からなる加湿エレメントに電解水を供給して、加湿エレメント上で空気中のウィルス等を電解水に接触し、ウィルス等を不活化することにより、空気を除菌しようとするものである。
【先行技術文献】
【特許文献】
【０００３】
【特許文献１】特開２００２−１８１３５８号公報
【発明の概要】
【発明が解決しようとする課題】
【０００４】
上述した電気分解は、水道水中に含まれる塩化物イオンを利用して行う。しかしながら、空気除菌装置の使用地域によっては水道水中の塩化物イオン濃度が低く、電気分解が困難な場合があるので、食塩水を貯留する食塩水タンクを設け、この食塩水タンクの食塩水を水道水に添加して電気分解することが考えられる。
ところで、例えば、映画館、劇場、病院、または、ショッピングセンタ等、不特定多数の人が長時間滞在する大空間施設に、食塩水タンクを備える空気除菌装置を設け、この大空間に清浄化（除菌）した空気を供給することが提案されている。
また、近年では、例えばパチンコホール等の遊技場において、ホール内の大空間を除菌することが望まれているが、遊技場は映画館等の施設に比べて空気の汚れが酷く、食塩水の使用量が多くなるので、映画館等の施設と同一の空気除菌装置を設けた場合、所定のメンテナンス期間（例えば、１年）前に食塩水が不足するおそれがある。
本発明は、上述した事情に鑑みてなされたものであり、構造の変更点を最小限に抑えつつ、食塩水の容量を増加させることが可能な空気除菌装置を提供することを目的とする。
【課題を解決するための手段】
【０００５】
上記目的を達成するために、本発明は、水槽と、この水槽に供給する食塩水を貯留する食塩水タンクと、前記水槽の水を電気分解して活性酸素種を含む電解水を生成する電解ユニットと、この電解ユニットからの電解水が供給される気液接触部材と、この気液接触部材に室内空気を送風する送風機とを備え、室内空気と電解水を接触し、除菌した空気を室内に環流する空気除菌装置において、前記水槽、前記食塩水タンク、前記電解ユニット、さらに前記食塩水タンクから前記水槽に食塩水を供給する食塩水供給ポンプと、前記電解ユニットから前記気液接触部材に電解水を供給する電解水供給ポンプと、前記食塩水タンクと前記食塩水供給ポンプの接続部、及び、前記食塩水タンクと並列に増設食塩水タンクを接続するための接続部を有する略Ｔ字状の接続部材と、を単一のケース内に収納し、前記増設食塩水タンクを増設ケース内に収納し、前記増設ケースは、前記ケースの背面パネルと略同一の大きさに形成されて当該背面パネルと差し替え可能な、前記増設食塩水タンクから延出する延出管を前記ケース内に導くための貫通孔を有するパネルを備えたことを特徴とする。
【０００６】
上記構成において、前記接続部材が、前記食塩水タンクと前記食塩水供給ポンプとを連結する連結管に設けられてもよい。
上記構成において、前記水槽と前記食塩水タンクとを隣接して配置し、前記増設食塩水タンクから延出する延出管を、前記水槽と前記食塩水タンクとの間の隙間を通して配管し、前記隙間の端部で前記接続部材に接続してもよい。
上記構成において、前記接続部材をワンタッチ継ぎ手で形成してもよい。
上記構成において、前記補助側吸込管を弾性部材で形成してもよい。
【発明の効果】
【０００７】
本発明によれば、水槽、食塩水タンク、電解ユニット、さらに食塩水タンクから水槽に食塩水を供給する食塩水供給ポンプと、電解ユニットから気液接触部材に電解水を供給する電解水供給ポンプと、を単一のケース内に収納し、ケース内には、食塩水タンク内の食塩水の不足を補う食塩水を貯留する増設食塩水タンクを、食塩水タンクと並列に接続する接続部材を備えたため、例えば食塩水タンク、ひいてはケースを変更することなく、食塩水の容量を増加させることができる。
【図面の簡単な説明】
【０００８】
【図１】本実施の形態に係る空気除菌装置が適用される空気調和装置の構成を示す図である。
【図２】図１において、機械室を拡大した図である。
【図３】空気除菌装置の構成を示す図である。
【図４】電解水循環供給部の構成を示す分解斜視図である。
【図５】電解水及び食塩水の配管の構成を示した斜視図である。
【図６】電解水循環供給部及び食塩水供給補助部を示す分解斜視図である。
【図７】電解水循環供給部に食塩水供給補助部を接続した状態を示す平面図である。
【図８】図７を食塩水タンク側パネル側から示す側面図である。
【図９】電解水循環供給部に食塩水供給補助部を接続した状態を示す斜視図である。
【発明を実施するための形態】
【０００９】
以下、図面を参照して本発明の実施の形態について説明する。
図１は、本実施の形態に係る空気除菌装置が適用される空気調和装置の構成を示す図であり、図２は、図１において機械室を拡大した図である。
空気調和装置１０は、大空間施設の一例たるパチンコホール１１を空気調和する装置である。パチンコホール１１には、遊技機１２が配置されており、この遊技機１２で遊技する多数の人が集合して長時間滞在する。また、パチンコホール１１は、ホール内で喫煙することが可能となっている。これを踏まえ、本実施の形態に係る空気調和装置１０は、パチンコホール１１の空気調和を行う機能の他、パチンコホール１１の換気を適切に行うと共に、パチンコホール１１の空気の除菌を行う機能を備えている。
【００１０】
パチンコホール１１の隣には、機械室１３が設けられている。パチンコホール１１と機械室１３とは仕切壁１４によって仕切られている。
機械室１３には、パチンコホール１１に供給する調和空気を生成する利用側ユニット１５（空気調和機）が床１６に床置きされて配置されている。このように利用側ユニット１５が機械室１３の床１６に床置きされているため、作業者は、利用側ユニット１５の各種メンテナンスを容易に行うことができる。利用側ユニット１５は、熱交換器１７及びファン（送風機）１８を備えており、利用側ユニット１５に導入された空気は、ファン１８によって、熱交換器１７を通過し、この熱交換器１７によって冷却又は加熱される。
この熱交換器１７は、図示せぬ熱源側ユニットと接続されており、冷房運転時は蒸発器として機能することにより利用側ユニット１５に導入された空気を冷却し、暖房運転時は凝縮器として機能することにより利用側ユニット１５に導入された空気を加熱する。
【００１１】
利用側ユニット１５に隣接して、タバコの煙を含む塵埃を除去するための集塵ユニット１９が配置されており、この集塵ユニット１９と利用側ユニット１５とがダクト２０を介して接続されている。また、利用側ユニット１５の上方には、調和空気導出用チャンバー２１が設けられており、この調和空気導出用チャンバー２１と利用側ユニット１５とがダクト２２を介して接続されている。このダクト２２の利用側ユニット１５側の一端２２ａは、利用側ユニット１５の天面１５ａに形成された吹出口２３に接続されている。
【００１２】
利用側ユニット１５の隣には、利用側ユニット１５が導出した調和空気を除菌する空気除菌装置２４の空気除菌装置本体１２０が床１６に床置きされている。空気除菌装置本体１２０には、調和空気導出用チャンバー２１がダクト２５を介して接続されている。このダクト２５の空気除菌装置本体１２０側の一端２５ａは、空気除菌装置本体１２０の天面２４ａに接続されている。利用側ユニット１５において加熱又は冷却された調和空気は、利用側ユニット１５の吹出口２３から上方へ向かって吹き出されると共に、ダクト２２、調和空気導出用チャンバー２１、ダクト２５を介して空気除菌装置本体１２０に導入される。
【００１３】
空気除菌装置本体１２０の天面２４ａには、供給配管２９の一端２９ａが接続されており、空気除菌装置２４によって除菌された調和空気は、この供給配管２９に導出される。
供給配管２９は、一端２９ａから上方へ向かって延出した後、仕切壁１４の高所で、この仕切壁１４を貫通し、パチンコホール１１の天井１１ａに沿った状態で、パチンコホール１１内に延在する。パチンコホール１１内に延在する供給配管２９には、複数の調和空気吹出口９０が間隔を開けて設けられており、この調和空気吹出口９０から空気除菌装置２４よって除菌された調和空気が吹き出されて、パチンコホール１１が空気調和される。
【００１４】
また、機械室１３には、全熱交換部９１が設けられ、この全熱交換部９１は、全熱交換ユニット９２を備えている。この全熱交換ユニット９２は、パチンコホール１１から外部へ排気される空気と、パチンコホール１１の空気調和のため外部から導入した外気との間で熱交換を行うユニットである。
具体的には、全熱交換ユニット９２は、機械室１３と外部とを区分けする建物壁９３に形成された外気導入口９４と、外気導入配管９５を介して接続されている。全熱交換ユニット９２には、これら外気導入口９４及び外気導入配管９５を介して外気が導入される。なお、外気導入配管９５には、ポンプ９６が接続されており、このポンプ９６の駆動に伴って全熱交換ユニット９２に外気が導入される。また、全熱交換ユニット９２には、空気混合ユニット９７と、混合前配管９８を介して接続されている。外気導入配管９５を介して全熱交換ユニット９２に導入された外気は、この混合前配管９８を介して空気混合ユニット９７に導出される。
【００１５】
また、全熱交換ユニット９２は、仕切壁１４に形成された第１室内空気導入口９９と、第１室内空気導入配管１００を介して接続されている。全熱交換ユニット９２には、これら第１室内空気導入口９９及び第１室内空気導入配管１００を介して、パチンコホール１１の空気が導入される。さらに、全熱交換ユニット９２には、建物壁９３に形成された排気口１０１と、排気用配管１０２を介して接続されている。第１室内空気導入口９９及び第１室内空気導入配管１００を介して全熱交換ユニット９２に導入されたパチンコホール１１の空気は、これら排気用配管１０２及び排気口１０１を介して外部へ排気される。
そして、全熱交換ユニット９２では、外気導入配管９５から導入された空気と、第１室内空気導入配管１００から導入された空気との間で熱交換が行われた後、熱交換後の外気導入配管９５から導入された空気は、混合前配管９８に導出されると共に、熱交換後の第１室内空気導入配管１００から導入された空気は、排気用配管１０２に導出される。
【００１６】
上述したように、全熱交換ユニット９２に導入された外気は、混合前配管９８を介して空気混合ユニット９７に導出される。この空気混合ユニット９７は、仕切壁１４に形成された第２室内空気導入口１０３と、第２室内空気導入配管１０４を介して接続されている。また、空気混合ユニット９７は、上述した集塵ユニット１９と、混合後配管１０５を介して接続されている。混合前配管９８を介して空気混合ユニット９７に導入された空気と、第２室内空気導入配管１０４を介して空気混合ユニット９７に導入された空気とは、空気混合ユニット９７内で混合され、混合後配管１０５を介して集塵ユニット１９に導出される。
【００１７】
ここで、空気調和装置１０の冷房運転時及び暖房運転時における基本的な動作について説明する。
まず、冷房運転時について説明する。
冷房運転時、ポンプ９６の駆動に応じて、外気導入口９４及び外気導入配管９５を介して全熱交換ユニット９２に外気が導入される（図２の矢印Ｙ１参照）。全熱交換ユニット９２に導入された外気は、第１室内空気導入配管１００を介して導入されたパチンコホール１１の空気との間で熱交換されて冷却された後、混合前配管９８を介して空気混合ユニット９７に導出される（矢印Ｙ２）。なお、冷房運転時は、パチンコホール１１内が冷却されているため、パチンコホール１１の空気の温度は、外気の温度より低い。従って、全熱交換ユニット９２において、パチンコホール１１の空気によって外気が冷却される。
【００１８】
そして、空気混合ユニット９７において、混合前配管９８を介して導入された外気（矢印Ｙ２）と、第２室内空気導入配管１０４を介して導入されたパチンコホール１１の空気（矢印Ｙ３）とが混合され、この混合された空気が混合後配管１０５を介して集塵ユニット１９に導出される（矢印Ｙ４）。混合後配管１０５を流れる空気は、パチンコホール１１の空気が含まれているため、煙草の煙等の塵埃を含んでいる。
混合後配管１０５を介して集塵ユニット１９に導入された空気は、その塵埃が集塵ユニット１９によって除去された後、ダクト２０を介して利用側ユニット１５に導出される（矢印Ｙ５）。
【００１９】
ダクト２０を介して利用側ユニット１５に導入された空気は、蒸発器として機能する熱交換器１７によって冷却された後、ファン１８によって天面１５ａに形成された吹出口２３から上方へ向かって吹き出される。なお、利用側ユニット１５に導入された空気は、全熱交換ユニット９２において冷却された空気と、冷房運転によって冷えたパチンコホール１１の空気とが混合された空気であり、外気よりも低温である。従って、上述した熱源側ユニットの負荷を低減することができ、冷房運転における運転効率の向上を図ることができる。
吹出口２３から吹き出された空気は、ダクト２２を介して調和空気導出用チャンバー２１に導出された後、ダクト２５を介して、空気除菌装置本体１２０に導入される（矢印Ｙ６）。空気除菌装置本体１２０に導入された調和空気は、この空気除菌装置本体１２０において除菌された後、供給配管２９に導出される（矢印Ｙ７）。供給配管２９に導入された除菌後の調和空気は、調和空気吹出口９０を介してパチンコホール１１内に吹き出され、パチンコホール１１を冷却する（矢印Ｙ８）。
【００２０】
一方、パチンコホール１１では、パチンコホール１１内の空気が外部へ排気されることにより、随時、換気が行われている。すなわち、空気調和装置１０は、パチンコホール１１内の空気をパチンコホール１１外へ導出すると共に、パチンコホール１１外の空気をパチンコホール１１内へ導入する換気手段を備えている。
具体的には、第１室内空気導入口９９及び第１室内空気導入配管１００を介してパチンコホール１１内の空気が全熱交換ユニット９２に導出される（矢印Ｙ９）。全熱交換ユニット９２に導入されたパチンコホール１１の空気は、全熱交換ユニット９２において、外気導入配管９５を介して導入された空気を冷却した後、排気用配管１０２及び排気口１０１を介して外部へ排気される（矢印Ｙ１０）。
【００２１】
次いで、暖房運転時について説明する。
暖房運転時は、全熱交換ユニット９２において、外気導入配管９５を介して導入されたパチンコホール１１の空気によって、第１室内空気導入配管１００を介して導入された空気を加熱する点で、冷房運転時と異なっている。
また、暖房運転時は、利用側ユニット１５の熱交換器１７が凝縮器として機能し、利用側ユニット１５に導入された空気を加熱する点で、冷房運転時と異なっている。なお、利用側ユニット１５に導入された空気は、全熱交換ユニット９２において加熱された空気と、暖房運転によって暖まったパチンコホール１１の空気とが混合された空気であり、外気よりも高温である。従って、上述した熱源側ユニットの負荷を低減することができ、暖房運転における運転効率の向上を図ることができる。
【００２２】
次いで、空気除菌装置２４の各構成について説明する。
図３は、空気除菌装置２４の概略構成を示す図である。
空気除菌装置２４は、空気除菌装置本体１２０内に配置される空気除菌部４と空気除菌装置本体１２０に隣接して配置される電解水循環供給部５とを備える。電解水循環供給部５は、除菌能を有する電解水を生成して空気除菌部４に循環供給し、空気除菌部４は、電解水循環供給部５から供給される電解水と空気とを接触させて空気を除菌する。
【００２３】
空気除菌部４は、６つのエレメントユニット４０Ａ〜４０Ｆを備えている。エレメントユニット４０Ａ〜４０Ｆは、それぞれ、２枚の気液接触部材を組み合わせて構成されており、本実施形態では合わせて１２枚の気液接触部材４１Ａ１〜４１Ｆ２が用いられている。６つのエレメントユニット４０Ａ〜４０Ｆは、後述するように、空気除菌装置本体１２０内に形成された送風路１２０Ａのほぼ全面を覆うように並べて配設され、送風路１２０Ａを通過する空気が漏れなく気液接触部材４１Ａ１〜４１Ｆ２を通過する構成となっている。
【００２４】
気液接触部材４１Ａ１〜４１Ｆ２は、送風路１２０Ａを通過する空気に電解水を接触させるための部材であり、これら気液接触部材４１Ａ１〜４１Ｆ２において送風路１２０Ａを流れる空気が所定の活性酸素種を含む電解水に接触することにより、空気中に含まれるウィルス等が不活化されて空気の除菌が行われる。
気液接触部材４１Ａ１〜４１Ｆ２は、ハニカム構造に似た３次元構造を持ったフィルタ部材であり、気体に接触するエレメント部をフレームにより支持する構造を有する。エレメント部は、図示を省略するが、波板状の波板部材と平板状の平板部材とが積層されて構成され、これら波板部材と平板部材との間に略三角状の多数の開口が形成されている。従って、エレメント部に空気を通過させる際の気体接触面積が広く確保され、電解水の滴下が可能で、目詰まりしにくい構造になっている。
【００２５】
エレメント部には、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）又はセラミックス系材料等の素材が使用され、本構成では、ＰＥＴ樹脂を用いるものとする。また、エレメント部には親水性処理が施され、電解水に対する親和性が高められており、これによって、気液接触部材４１Ａ１〜４１Ｆ２の電解水の保水性（湿潤性）が保たれ、後述する活性酸素種（活性酸素物質）と空気との接触が長時間持続される。
【００２６】
気液接触部材の数は、空気除菌装置本体１２０の送風路１２０Ａを通過する空気量に応じて決定されるものであり、送風路１２０Ａを通過する空気量と１枚あたりの気液接触部材の除菌能力（気体接触面積）とから好適な数を算出することができ、当該空気を十分に除菌できる数の気液接触部材が空気除菌装置本体１２０に配置される。本実施形態を例に挙げれば、１２枚の気液接触部材４１Ａ１〜４１Ｆ２が用いられる。
【００２７】
また、電解水循環供給部５は、貯水タンク（水槽）５１と、この貯水タンク５１内の水を電気分解して電解水を生成する電解ユニット５２と、当該貯水タンク５１内の電解水を上記空気除菌部４の各気液接触部材４１Ａ１〜４１Ｆ２にそれぞれ供給するための電解水供給管５６と、この電解水供給管５６上に設けられた電解水供給ポンプ５３と、この電解水供給ポンプ５３の下流側で上記電解水供給管５６から分岐して電解ユニット５２に接続される分岐管５４と、後述するドレンパン４４に流下した水を貯水タンク５１に導く循環水戻り管５５と、上記電解ユニット５２、電解水供給ポンプ５３等の動作を制御する制御部６５と、を備える。
【００２８】
貯水タンク５１には、この貯水タンク５１に市水（水道水）等を供給する給水管５７と、給水弁５８とが接続され、給水弁５８は、貯水タンク５１内に設けられるフロートスイッチＦＳの動作に基づき、制御部６５によって開閉制御される。ここで、給水管５７に接続されて、貯水タンク５１に水を供給する給水源は、市水（水道水）或いは給水槽等に貯留された水等のいずれであってもよい。この給水槽等に貯留される水とは、水道水等のように塩化物イオン等のイオン種が予め含有されている水であってもよいし、井戸水等の塩化物イオンの濃度の希薄な水を使う場合には、この水に塩化物イオンを添加して水道水相当に調整された水であってもよい。本実施の形態では、これらを総称して水という。
【００２９】
本構成では、貯水タンク５１には、井戸水等の塩化物イオン濃度の希薄な水を使用した場合であっても、この水に塩化物イオンを添加して、この水を所定の水道水塩化物イオン濃度にするために、予め所定の濃度に調整された食塩水を貯留する食塩水タンク５９が設けられ、この食塩水タンク５９に接続される食塩水供給管６０には、食塩水供給ポンプ６１と逆止弁６２とを介して貯水タンク５１に接続されている。この食塩水供給ポンプ６１は、例えば、電解ユニット５２で検出される導電率に基づいて制御部６５の制御によって動作するように構成されている。
【００３０】
また、本実施の形態では、貯水タンク５１の接続口に接続される電解水供給管５６は、６本の電解水供給管５６Ａ〜５６Ｆにそれぞれ分岐され、電解水供給ポンプ５３から送られた電解水が各電解水供給管５６Ａ〜５６Ｆに略均等に分流されるようになっている。電解水供給管５６Ａ〜５６Ｆは、それぞれエレメントユニット４０Ａ〜４０Ｆに対して電解水を供給する。電解水供給管５６Ａ〜５６Ｆにより供給された電解水は、気液接触部材４１Ａ１〜４１Ｆ２に浸潤され、これら気液接触部材４１Ａ１〜４１Ｆ２からドレンホース４５Ａ〜４５Ｆを介して流下してドレンパン４４に集められ、循環水戻り管５５を介して貯水タンク５１に戻る。
【００３１】
電解ユニット５２は、貯水タンク５１の側面に固定配置されている。具体的には、電解ユニット５２は、有底円筒形状のケース体７１と、このケース体７１内に収納される少なくとも一対の電極７２、７３とを備え、これら電極７２、７３間に電圧を印加することにより、水を電気分解して活性酸素種を含む電解水を生成させる。
ここで、活性酸素種とは、通常の酸素よりも高い酸化活性を持つ酸素分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。
【００３２】
電極７２、７３は、例えば、ベースがチタン（Ｔｉ）で皮膜層がイリジウム（Ｉｒ）、白金（Ｐｔ）から構成された２枚の電極板である。
上記電極７２、７３間に電圧を印加すると、カソード電極（陰極）では、下記式（１）に示すように反応する。
２Ｈ2Ｏ＋２ｅ-→Ｈ2＋２ＯＨ-    ・・・（１）
アノード電極（陽極）では、下記式（２）に示すように反応する。
２Ｈ2Ｏ→Ｏ2＋４Ｈ+＋４ｅ-    ・・・（２）
これらカソード電極及びアノード電極での反応を合わせると、下記式（３）に示すように水が電気分解される。
２Ｈ2Ｏ→２Ｈ2＋Ｏ2    ・・・（３）
この反応とともに、アノード電極においては、水に含まれる塩素イオン（塩化物イオン：Ｃｌ-）が下記式（４）に示すように反応し、塩素（Ｃｌ2）が発生する。
２Ｃｌ-→Ｃｌ2＋２ｅ-    ・・・（４）
さらに、この塩素は下記式（５）に示すように水と反応し、次亜塩素酸（ＨＣｌＯ）と塩化水素（ＨＣｌ）が発生する。
Ｃｌ2＋Ｈ2Ｏ→ＨＣｌＯ＋ＨＣｌ    ・・・（５）
【００３３】
アノード電極で発生した次亜塩素酸（広義の活性酸素種）は、強力な酸化作用や漂白作用を有する。次亜塩素酸が溶解した水溶液、すなわち電解ユニット５２により生成される電解水は、ウィルス等の不活化、殺菌、有機化合物の分解等、種々の空気清浄効果を発揮する。このように、次亜塩素酸を含む電解水が電解水供給管５６Ａ〜５６Ｆを流れ、気液接触部材４１Ａ１〜４１Ｆ２に滴下されると、空気除菌装置本体１２０に導入された空気が気液接触部材４１Ａ１〜４１Ｆ２において次亜塩素酸と接触する。これにより、空気中に浮遊するウィルス等が不活化されるとともに、当該空気に含まれる臭気物質が次亜塩素酸と反応して分解され、或いはイオン化して溶解する。従って、空気の除菌及び脱臭がなされ、清浄化された空気が気液接触部材４１Ａ１〜４１Ｆ２から排出される。
【００３４】
活性酸素種によるウィルス等の不活化の作用機序として、インフルエンザウィルスの例を挙げる。上述した活性酸素種は、インフルエンザウィルスの感染に必須とされるウィルスの表面蛋白（スパイク）を破壊、消失（除去）する作用を有する。この表面蛋白が破壊された場合、インフルエンザウィルスと、インフルエンザウィルスが感染するのに必要な受容体（レセプタ）とが結合しなくなり、感染が阻止される。このため、空気中に浮遊するインフルエンザウィルスは、気液接触部材４１Ａ１〜４１Ｆ２において活性酸素種を含む電解水に接触することにより、感染力を失うこととなり、感染が阻止される。
【００３５】
従って、空気除菌装置本体１２０に気液接触部材４１Ａ１〜４１Ｆ２を備えたエレメントユニット４０Ａ〜４０Ｆ配置することにより、この空気除菌装置本体１２０を通過する空気が気液接触部材４１Ａ１〜４１Ｆ２で除菌され、この除菌された空気をパチンコホール１１内で広く行き渡らせることが可能となり、大空間施設内での空気除菌及び脱臭を容易に、効率良く行うことができる。
【００３６】
ここで、電解ユニット５２内の電極７２、７３のうち任意の側に正電位を与えるための電極の切り替えは、電極の極性を反転させることで行うことができ、本実施の形態では、制御部６５によって電極７２、７３に印加する電圧を変化（反転）させることにより、実行可能である。
【００３７】
また、電解水中の活性酸素種の濃度は、制御部６５の制御下、除菌するウィルス等を不活化させる濃度となるように調整される。活性酸素種の濃度の調整は、電極７２、７３間に印加する電圧を調整して、電極７２、７３間に流す電流値を調整することにより行われる。
例えば、電極７２に正の電位を与えて、電極７２、７３間に流れる電流値を、電流密度で２０ｍＡ（ミリアンペア）／ｃｍ2（平方センチメートル）とすると、所定の遊離残留塩素濃度（例えば１ｍｇ（ミリグラム）／ｌ（リットル））を発生させる。また、電極７２、７３間に印加する電圧を変更して、電流値を高くすることで、電解水中の次亜塩素酸の濃度を高い濃度に調整できる。
【００３８】
また、貯水タンク５１には、サイホン方式で排水できる排水管６７が設けられている。この排水管６７は、貯水タンク５１の底部から上方に延びる第１鉛直部６７Ａと、この第１鉛直部６７Ａに連なり略水平方向に延びる水平部６７Ｂと、この水平部６７Ｂに連なりタンク外で下方に延びる第２鉛直部６７Ｃとを備える。この水平部６７Ｂは、通常の貯水タンク５１内の制御水位よりも若干高い位置に設けられており、この高さ位置まで水を供給することにより、排水管６７内は真空となるため、サイホンの原理によって貯水タンク５１内の水が排出される。この構成では、排水バルブが不要となるためコストダウンが図れるとともに、サイホン方式によって排水速度を向上させることができる。
【００３９】
続いて、空気調和装置１０のより具体的な実施態様を説明する。
図４は、電解水循環供給部５の構成を示す分解斜視図である。
電解水循環供給部５は、箱形のケース５０を有し、このケース５０に、貯水タンク５１、食塩水タンク５９、及び電装ボックス３０等を収納して構成される。電解水循環供給部５には、空気除菌装置本体１２０（図３）に近い側に貯水タンク５１及び食塩水タンク５９が隣接して配置され、空気除菌装置本体１２０とは反対側に電装ボックス３０が配置されている。
【００４０】
電解水循環供給部５のケース５０は略直方体形状に形成され、上面が着脱可能な蓋５０Ａとなっていて、底面を構成する底板５０Ｂの縁部に４つの側面がそれぞれ立設されている。これら４つの側面は、貯水タンク５１側に位置して複数の配管が引き出される配管引出パネル５０Ｃ、配管引出パネル５０Ｃと対向する食塩水タンク側パネル５０Ｄ、ケース５０の前面に設けられ、電装ボックス３０の側に位置する電装ボックス側パネル５０Ｅ、及び、ケース５０の奥側の面、すなわち、空気除菌装置本体１２０の側に位置する背面パネル（一側面）５０Ｆにより構成されている。
【００４１】
蓋５０Ａは、電解水循環供給部５への塵埃の侵入を防止するため、ケース５０の上面および各側面の上端を覆っている。蓋５０Ａは、図示しないねじ等により固定され、このねじを取り外すことによって開くことが可能である。蓋５０Ａの開放状態では、ケース５０の内部に収納された電装ボックス３０、貯水タンク５１、電解ユニット５２、電解水供給ポンプ５３、食塩水タンク５９、食塩水供給ポンプ６１等の各部へのアクセスが可能となる。
【００４２】
電装ボックス側パネル５０Ｅは、背面パネル５０Ｆとは反対側に面する側面であり、配管引出パネル５０Ｃ及び食塩水タンク側パネル５０Ｄの端を折り曲げて形成したカバー取付部５０Ｇ等にねじ止めにより着脱自在に取り付けられており、ケース５０から蓋５０Ａを取り外すことで、電装ボックス側パネル５０Ｅが取り外し可能となる。
電装ボックス側パネル５０Ｅを取り外すと、ケース５０の一側面が開放され、直方体の電装ボックス３０の一側面を構成する電装ボックスカバー３０Ａが露出し、この電装ボックスカバー３０Ａを、電装ボックス側パネル５０Ｅ側に取り外すことが可能になる。
電装ボックス３０には、制御部６５（図３）を構成するマイコン等が実装された制御基板３１や、電解ユニット５２、電解水供給ポンプ５３、食塩水供給ポンプ６１等に電源を供給する電源回路部３３等が収納されている。電装ボックスカバー３０Ａを取り外すと、電装ボックス３０の一側面が開放され、電装ボックス３０に収納された制御基板３１、及び、電源回路部３３等へのアクセスが可能になる。
【００４３】
ケース５０内においては、貯水タンク５１と食塩水タンク５９とが並べて配置され、この貯水タンク５１と食塩水タンク５９とが並ぶ方向に沿って、長手形状の箱である電装ボックス３０が配置されている。なお、この図４では、貯水タンク５１はその上面を開放して配置されているが、通常の使用態様では、この貯水タンク５１は、その上面及び各側面の上端を覆う着脱可能な蓋部材５１Ａ（図９参照）により密閉されている。
電装ボックス３０は、その底面が底板５０Ｂから浮くように、すなわち、底板５０Ｂとの間に所定の間隔を設けた状態で、食塩水タンク側パネル５０Ｄにブラケット３５を介して固定されている。この電装ボックス３０の下方の空間には、食塩水供給ポンプ６１及び電解水供給ポンプ５３が並べて設置され、食塩水供給ポンプ６１は食塩水タンク５９側に、電解水供給ポンプ５３は貯水タンク５１側に位置している。本構成では、所定の間隔とは、食塩水供給ポンプ６１及び電解水供給ポンプ５３を設置するのに十分な隙間をいう。
ここで、電装ボックス３０が底板５０Ｂから浮いた位置で固定されているので、ケース５０内の各部から漏れたり、あふれたりした水や電解水或いは食塩水が、電装ボックス３０内部に進入することはなく、制御基板３１や電源回路部３３を確実に保護することができ、電源回路部３３等を貯水タンク５１や食塩水タンク５９と同一のケース５０に収める構成を可能としている。
【００４４】
食塩水供給ポンプ６１は、食塩水供給管６０を介して食塩水タンク５９の内部に繋がる吸込口６１Ａと、貯水タンク５１に繋がる吐出口６１Ｂとを有し、吸込口６１Ａから吸い込んだ食塩水を吐出口６１Ｂから吐出する。食塩水供給ポンプ６１の脚部６１Ｃは底板５０Ｂに固定されている。
電解水供給ポンプ５３は、貯水タンク５１内の電解水を吸い込む吸込口５３Ａと、吸込口５３Ａから吸い込んだ電解水を電解水供給ポンプ５３へ吐出する吐出口５３Ｂとを有する。ここで、吐出口５３Ｂから吐出された電解水の一部は分岐して、上述のように電解ユニット５２へ供給される。電解水供給ポンプ５３の脚部５３Ｃは底板５０Ｂに固定されている。
【００４５】
貯水タンク５１及び食塩水タンク５９は、電装ボックス３０の背面側、すなわち電装ボックス３０と背面パネル５０Ｆとの間に配置されている。これら貯水タンク５１及び食塩水タンク５９は、電装ボックス３０内に収納される制御基板３１や電源回路部３３よりもメンテナンス頻度が少ないため、電装ボックス側パネル５０Ｅを通じてメンテナンスを行う必要はない。
貯水タンク５１の電装ボックス３０側の面を構成する前面５１Ｂには、下部に電解ユニット５２が取り付けられるとともに、食塩水供給ポンプ６１により送出された食塩水が投入される食塩水投入部８５が上部に形成されている。また、前面５１Ｂには、給水弁５８を備えた給水管５７、排水管６７の水平部６７Ｂ（図３）が接続されている。
【００４６】
また、貯水タンク５１の配管引出パネル５０Ｃ側の面を構成する側面５１Ｃには、オーバーフロー排出口８１、水抜き口８２、及び、循環水戻り口８４が設けられている。オーバーフロー排出口８１は、貯水タンク５１内の電解水の水位が、オーバーフロー排出口８１の高さを超えた場合に、電解水をオーバーフロー管６８（図３）に排出させる開口部である。循環水戻り口８４は、空気除菌装置本体１２０からの循環水戻り管５５（図３）が接続される開口部である。また、水抜き口８２は、メンテナンス時に貯水タンク５１内の電解水を強制的に全量排水するための開口部であり、手作業により開閉されるコックが取り付けられている。
【００４７】
貯水タンク５１の内部は仕切壁６４によって区画され、仕切壁６４には貫通孔が設けられており、この貫通孔にはスケールフィルタ６６が取り付けられている。すなわち、貯水タンク５１内は、スケールフィルタ６６によって電解ユニット５２側の上流室８６と、この上流室８６の下流側の下流室８７とに区画され、電解水は上流室８６から下流室８７へスケールフィルタ６６を通って流れる。下流室８７の側壁、例えば貯水タンク５１の食塩水タンク５９側の側面５１Ｄには、異なる高さ位置に複数のフロートスイッチＦＳがそれぞれ取り付けられている。
【００４８】
配管引出パネル５０Ｃには、複数の通気孔５０Ｃ１、オーバーフロー排出口８１を貫通させるオーバーフロー貫通孔５０Ｃ２、水抜き口８２を貫通させる水抜き貫通孔５０Ｃ３、循環水戻り口８４を貫通させる循環水戻り貫通孔５０Ｃ４、電解水供給管５６を貫通させる電解水供給管貫通孔５０Ｃ５、給水管５７を貫通させる吸水管貫通孔５０Ｃ６、排水管６７を貫通させる排水管貫通孔５０Ｃ７、図示しない制御線を貫通させる制御線貫通孔５０Ｃ８、及び図示しない電源線を貫通させる電源線貫通孔５０Ｃ９が形成されている。
食塩水タンク側パネル５０Ｄには、複数の通気孔５０Ｄ１及び電装ボックス３０の通気孔５０Ｄ２（ともに図６参照）が形成されている。
【００４９】
図５は、電解水及び食塩水の配管の構成を示した斜視図である。なお、図５では、配管引出パネル５０Ｃ、食塩水タンク側パネル５０Ｄ、電装ボックス側パネル５０Ｅ、電装ボックス３０、給水管５７、給水弁５８等の図示を省略している。
電解水供給ポンプ５３及び食塩水供給ポンプ６１は、ケース５０内における前面５１Ｂの側に設けられて貯水タンク５１の手前側に位置している。ここで、電解水供給ポンプ５３は、カバー５３Ｄによって覆われた状態を示している。これら電解水供給ポンプ５３及び食塩水供給ポンプ６１と、貯水タンク５１とで囲まれる空間が、各種配管を配管するための配管スペースＳとなる。
【００５０】
貯水タンク５１と電解水供給ポンプ５３とを繋ぐ吸込管７４は、貯水タンク５１に接続される導出部７４Ａと、導出部７４Ａと電解水供給ポンプ５３とを繋ぐＬ字状のＬ字部７４Ｂとを備えて構成されている。導出部７４Ａは貯水タンク５１の下部から前面５１Ｂの側に延びてＬ字部７４Ｂに接続され、Ｌ字部７４Ｂは導出部７４Ａとの接続部から略直角に屈曲し、電解水供給ポンプ５３の吸込口５３Ａに接続されている。電解水供給ポンプ５３の吐出口５３Ｂには、電解水供給ポンプ５３から吐出された電解水が通る吐出管７５が接続されている。吐出管７５は吐出口５３Ｂから配管引出パネル５０Ｃ（図４）の側に延び、電解ユニット５２の前方に設けられた分岐ソケット７６に接続されている。分岐ソケット７６は２方向に分岐し、この分岐の一方には電解ユニット５２に接続される分岐管５４が接続されている。この分岐管５４は、貯水タンク５１の底面の高さよりも低い位置を引き回されて電解ユニット５２に向かって延びる延出管５４Ａと、この延出管５４Ａに接続され、電解ユニット５２の下方で上方に屈曲し、電解ユニット５２の下部に設けられた電解水入口５２Ａに接続される屈曲部５４Ｂとを備えて構成されている。また、分岐ソケット７６の分岐の他方には、空気除菌装置本体１２０（図３）に繋がる電解水供給管５６が接続されている。ここで、吸込管７４及び吐出管７５は、電解水供給管５６の一部である。
【００５１】
すなわち、貯水タンク５１内の電解水は、電解水供給ポンプ５３の吸込管７４を介して電解水供給ポンプ５３に吸い出され、電解水供給ポンプ５３の吐出管７５を経由して２方向に分岐し、一方は電解ユニット５２を経由して貯水タンク５１に還流され、他方は電解水循環供給部５の外側へ延びる電解水供給管５６を経由して空気除菌装置本体１２０に供給される。
また、吐出管７５の中間部には、取水用分岐ソケット７７が設けられ、取水用分岐ソケット７７には取水用の取水管７８が接続されている。取水管７８は手動で切り替え可能なコック７８Ａを備え、コック７８Ａを操作することで電解水供給管５６を流れる電解水を取り出すことができる。
【００５２】
食塩水タンク５９は、その上面及び各側面の上端を覆う着脱可能な蓋部材５９Ａ（図９）により密閉されている。貯水タンク５１及び食塩水タンク５９は、それらの蓋部材５１Ａ，５９Ａ（図９）を容易に着脱可能にするため、隙間を空けて配置されている。より詳細には、貯水タンク５１の食塩水タンク５９側の側面５１Ｄと、食塩水タンク５９の貯水タンク５１側の側面５９Ｂとが所定の隙間δを空けて配置されている。
食塩水タンク５９の前面５９Ｃ、すなわち電装ボックス３０（図３）に対向する面の下部には、貯水タンク５１側にＬ字状に屈曲する食塩水排出口１３０が形成され、この食塩水排出口１３０と食塩水供給ポンプ６１の吸込口６１Ａとの間は食塩水吸込管（連結管）６０Ａによって連結されている。
【００５３】
食塩水吸込管６０Ａは、食塩水タンク５９の食塩水排出口１３０に接続する上流吸込管６０Ａ１と、食塩水供給ポンプ６１の吸込口６１Ａに接続する下流吸込管６０Ａ２とを備え、これらの吸込管６０Ａ１，６０Ａ２を、略Ｔ字状の接続部材２０５の接続部２０５Ａ，２０５Ｂに直線方向に接続して構成される。ここで、接続部２０５Ａ，２０５Ｂに直交する接続部２０５Ｃは、図示しないキャップで閉塞されている。接続部材２０５は、ワンタッチ継ぎ手で形成されており、接続部２０５Ａ〜２０５Ｃの接続をワンタッチで行うことが可能である。吸込管６０Ａ１，６０Ａ２の長さは、隣接する貯水タンク５１と食塩水タンク５９との間の隙間δの端部Ａに接続部材２０５が位置するように設定される。
【００５４】
また、食塩水供給ポンプ６１の吐出口６１Ｂには食塩水吐出管６０Ｂの一端が接続され、この食塩水吐出管６０Ｂの他端は、貯水タンク５１の前面５１Ｂの上部に形成された食塩水投入部８５に接続されている。このため、食塩水供給ポンプ６１の動作により、食塩水タンク５９内の食塩水は、食塩水吸込管６０Ａ、食塩水吐出管６０Ｂ、食塩水投入部８５を通じて貯水タンク５１内に供給される。なお、食塩水供給管６０は、食塩水吸込管６０Ａ及び食塩水吐出管６０Ｂを備えて構成されている。
【００５５】
食塩水吸込管６０Ａ及び食塩水吐出管６０Ｂは、例えばフッ素樹脂等の弾性材料を用いて形成されている。食塩水吸込管６０Ａは、食塩水排出口１３０から、食塩水供給ポンプ６１と貯水タンク５１及び食塩水タンク５９との間を通り、食塩水供給ポンプ６１の吸込口６１Ａに向けて略Ｕ字状に延びる。食塩水吐出管６０Ｂは、食塩水吸込管６０Ａが描くＵ字に沿って延出した後、上方に向けて湾曲している。
食塩水吸込管６０Ａ、食塩水吐出管６０Ｂ、及び吐出管７５は、吐出口５３Ｂと取水用分岐ソケット７７との間の位置で、略環状のクランパ７９Ａによって束ねられている。また、食塩水吸込管６０Ａ、食塩水吐出管６０Ｂ、及び延出管５４Ａは、食塩水吐出管６０Ｂが上方に湾曲する手前の位置で、略環状のクランパ７９Ｂによって束ねられている。
【００５６】
ところで、パチンコホール１１（図１）では、空気の汚れが比較的酷く、食塩水の使用量が多いため、水を所定の水道水塩化物イオン濃度にするための食塩水タンク５９を設けるだけでは、所定のメンテナンス期間（例えば１年）前に食塩水が不足するおそれがある。そこで、本実施の形態の電解水循環供給部５は、食塩水タンク５９内の食塩水の不足を補う食塩水増設部２（図６参照）を接続可能に構成されている。
【００５７】
図６は、電解水循環供給部５及び食塩水増設部２を示す分解斜視図である。
食塩水増設部２は、増設ケース２００に、リザーブタンク（増設食塩水タンク）２０１を収納して構成されている。増設ケース２００は略直方体形状に形成され、上面に着脱可能な蓋２００Ａを有し、底面を構成する底板２００Ｂの縁部に４つの側面がそれぞれ立設されている。これら４つの側面は、背面パネル５０Ｆと略同一の大きさに形成される背面パネル（側面）２００Ｃ、背面パネル２００Ｃに対向する前面パネル２００Ｄ、パネル２００Ｃ，２００Ｄに直交して対向する一対の側面パネル２００Ｅ，２００Ｆを備えて構成されている。パネル２００Ｃ，２００Ｄには、貫通孔２００Ｃ１，２００Ｄ１が対向して形成されている。
食塩水増設部２を設置する際には、ケース５０の蓋５０Ａを取り外して背面パネル５０Ｆを取り外すとともに、増設ケース２００の蓋２００Ａを取り外して背面パネル２００Ｃを取り外し、背面パネル５０Ｆを増設ケース２００の背面に取り付け、背面パネル２００Ｃをケース５０の背面に取り付けることとなる。
【００５８】
図７は、電解水循環供給部５に食塩水増設部２を接続した状態を示す平面図である。図８は、図７を食塩水タンク側パネル５０Ｄ側から示す側面図であり、食塩水タンク側パネル５０Ｄ及び側面パネル２００Ｆの図示を省略している。図９は、電解水循環供給部５に食塩水増設部２を接続した状態を示す斜視図である。
図７に示すように、増設ケース２００は、ケース５０の背面側に、ケース５０と揃えて配置される。貫通孔２００Ｃ１は、背面パネル２００Ｃがケース５０に取り付けられた状態で、貯水タンク５１と食塩水タンク５９との間の隙間δに位置するように形成されている。また、貫通孔２００Ｄ１は、ケース５０に取り付けられた背面パネル２００Ｃの貫通孔２００Ｃ１と対向するように形成されている。
【００５９】
リザーブタンク２０１は、食塩水タンク５９内の食塩水と略同一濃度の食塩水を貯留しても、所定のメンテナンス期間に十分な量の食塩水を貯留できる大きさに形成されている。リザーブタンク２０１は、着脱自在な蓋部材２０１Ａを備え、この蓋部材２０１Ａを取り外すことで食塩水を補充できるようになっている。リザーブタンク２０１の前面２０１Ｂには、下部に、貫通孔２００Ｄ１と対向して食塩水排出口２０１Ｂ１が形成されており、この食塩水排出口２０１Ｂ１に、例えばフッ素樹脂等の弾性材料を用いて形成された延出管２０２が接続される。
リザーブタンク２０１は、増設ケース２００の背面（背面パネル５０Ｆ）側に寄せて配置され、前面２０１Ｂと前面パネル２００Ｄとの間に接続スペースＲが設けられている。これにより、例えば作業者が上方から手を入れて、食塩水排出口２０１Ｂ１と延出管２０２との接続を容易に行うことができる。
【００６０】
食塩水排出口２０１Ｂ１に接続された延出管２０２は、貫通孔２００Ｄ１を通って増設ケース２００の外部に延出し、貫通孔２００Ｃ１を通されてケース５０内に導かれる。増設ケース２００の外部に露出する部分の延出管２０２は蛇腹２０３で覆われる。貫通孔２００Ｃ１を通ってケース５０内に導かれた延出管２０２は、隣接する貯水タンク５１と食塩水タンク５９との間の隙間δを通って配管され、その端部Ａに配置された接続部材２０５の接続部２０５Ｃに接続される。このとき、接続部２０５Ｃを閉塞していたキャップ（不図示）は取り外される。
【００６１】
食塩水排出口１３０，２０１Ｂ１は、図８に示すように、その高さＨが略同一となるように設けられており、食塩水吸込管６０Ａ及び延出管２０２は、それぞれ略水平に配管される。
延出管２０２を食塩水排出口２０１Ｂ１及び接続部材２０５に接続した後、図９に示すように、ケース５０に蓋５０Ａを取り付け、増設ケース２００に蓋２００Ａを取り付けることで、食塩水増設部２の設置が完了する。
【００６２】
次に、図７を参照し、本実施の形態の作用について説明する。
上流吸込管６０Ａ１は、延出管２０２に比べて短いため、食塩水供給ポンプ６１が動作されると、上流吸込管６０Ａ１が接続された食塩水タンク５９から主に食塩水が吸い込まれ、下流吸込管６０Ａ２、食塩水吐出管６０Ｂ、食塩水投入部８５を通じて貯水タンク５１内に供給される。食塩水タンク５９とリザーブタンク２０１とは、延出管２０２及び上流吸込管６０Ａ１を介して連通しているので、食塩水供給ポンプ６１が停止すると、食塩水タンク５９内の食塩水の水面の高さと、リザーブタンク２０１内の食塩水の水面の高さが略同一になるまで、リザーブタンク２０１から食塩水タンク５９に食塩水が流れ込む。これにより、食塩水の使用量が食塩水タンク５９内に貯留された食塩水の量よりも多い場合でも、所定のメンテナンス期間の間、食塩水の供給が可能になる。
【００６３】
このように、ケース５０内に、リザーブタンク２０１を食塩水タンク５９と並列に接続する接続部材２０５を備え、この接続部材２０５にリザーブタンク２０１の延出管２０２を接続したため、食塩水タンク５９の大きさを変更することなく、ひいてはケース５０を変更することなく、食塩水の容量を増加させることができる。しかも、接続部材２０５をワンタッチ継ぎ手で形成したため、延出管２０２を接続部材２０５にワンタッチで接続できるので、リザーブタンク２０１を容易に設置できる。
また、リザーブタンク２０１は、食塩水タンク５９内の食塩水と同一濃度の食塩水を貯留可能に構成されるため、食塩水タンク５９及びリザーブタンク２０１に同一濃度の食塩水を補充できるので、食塩水を補充する作業が煩雑化するのを防止できる。また、リザーブタンク２０１を設けても、貯水タンク５１に供給される食塩水の塩化物イオン濃度が一定になるので、食塩水供給ポンプ６１の制御を変更する必要がない。
【００６４】
さらに、増設ケース２００の背面パネル２００Ｃをケース５０の背面パネル５０Ｆと差し替え可能に構成し、この背面パネル２００Ｃに、延出管２０２をケース５０内に導くための貫通孔２００Ｃ１を形成したため、背面パネル５０Ｆと背面パネル２００Ｃとを差し替えることで、例えば、背面パネル５０Ｆに延出管２０２を通す貫通孔を空けたり、貫通孔を形成したパネルを増設ケース２００とは別に準備したりする必要もない。したがって、部品点数の増加を抑制しつつ、既存のケース５０にリザーブタンク２０１を容易に接続できる。
本実施の形態では、増設ケース２００をケース５０の背面側に揃えて配置したが、延出管２０２を弾性部材で形成しているため、ケース５０の背面側に増設ケース２００を配置するための十分な空間を確保できない場合にも、延出管２０２を湾曲させることにより、増設ケース２００を配置する場所の自由度を向上できる。
【００６５】
これに加え、延出管２０２を食塩水吸込管６０Ａに接続したため、リザーブタンク２０１から食塩水を汲み出すポンプを別に設ける必要がなくなり、部品点数の増加を抑制できる。また、延出管２０２を、貯水タンク５１と食塩水タンク５９との間の隙間δを通して配管し、その隙間δの端部Ａで接続部材２０５に接続したため、延出管２０２を配管するためのスペースを別に確保する必要がないので、管５４，５６，６０Ｂ，６７，７４，７５，７８や制御線及び電源線等の各種配管の配管スペースＳを狭めることがなく、それらの配管が複雑化することもない。さらに、隙間δに対向する位置に、貫通孔２００Ｃ１，２００Ｄ１及び食塩水排出口２０１Ｂ１を揃えて形成したため、延出管２０２をほぼ直線的に配管できるので、延出管２０２の配管を簡素化できる。
【００６６】
以上説明したように、本実施の形態によれば、貯水タンク５１、食塩水タンク５９、電解ユニット５２、さらに食塩水タンク５９から貯水タンク５１に食塩水を供給する食塩水供給ポンプ６１と、電解ユニット５２から気液接触部材４１Ａ１〜４１Ｆ２に電解水を供給する電解水供給ポンプ５３と、を単一のケース５０内に収納し、ケース５０内には、食塩水タンク５９内の食塩水の不足を補う食塩水を貯留するリザーブタンク２０１を、食塩水タンク５９と並列に接続する接続部材２０５を備えた。このため、食塩水タンク５９、ひいてはケース５０を変更することなく、食塩水の容量を増加させることができる。
【００６７】
また、本実施の形態によれば、接続部材２０５が、食塩水タンク５９と食塩水供給ポンプ６１とを連結する食塩水吸込管６０Ａに設けられるため、リザーブタンク２０１から食塩水を汲み出すポンプを別に設ける必要がなく、部品点数を削減できる。
また、本実施の形態によれば、貯水タンク５１と食塩水タンク５９とを隣接して配置し、延出管２０２を、貯水タンク５１と食塩水タンク５９との間の隙間δを通して配管し、隙間δの端部Ａで接続部材２０５に接続したため、延出管２０２を設けることによって配管が複雑化するのを防止できる。
【００６８】
また、本実施の形態によれば、リザーブタンク２０１を別の増設ケース２００に収納し、増設ケース２００は、ケース５０の背面パネル５０Ｆと差し替え可能な背面パネル２００Ｃを有し、この背面パネル２００Ｃに、延出管２０２をケース５０内に導くための貫通孔２００Ｃ１を形成したため、背面パネル５０Ｆに延出管２０２を通す貫通孔を空けたり、貫通孔を形成したパネルを増設ケース２００とは別に準備したりする必要がなくなるので、既存のケース５０にリザーブタンク２０１を容易に接続できるとともに、部品点数の増加を抑制できる。
【００６９】
また、本実施の形態によれば、接続部材２０５をワンタッチ継ぎ手で形成したため、延出管２０２の接続をワンタッチで行うことができるので、リザーブタンク２０１を容易に設置できる。
また、本実施の形態によれば、延出管２０２を弾性部材で形成したため、延出管２０２を湾曲させることにより、リザーブタンク２０１を配置する場所の自由度を向上できる。
【００７０】
但し、上記実施の形態は本発明の一態様であり、本発明の趣旨を逸脱しない範囲において適宜変更可能であるのは勿論である。
例えば、上記実施の形態では、接続部材２０５を食塩水吸込管６０Ａに設けたが、食塩水供給ポンプ６１に吸込口を別に設け、この吸込口を接続部材としてもよい。
また、上記実施の形態では、リザーブタンク２０１に、食塩水タンク５９内の食塩水と略同一の食塩水を貯留したが、食塩水タンク５９内の食塩水と異なる濃度の食塩水を貯留してもよい。
また、上記実施の形態では、大空間施設としてパチンコホール１１を例にして説明したが、食塩水タンク５９の容量では食塩水が不足する大空間施設であれば、これに限定されない。
【符号の説明】
【００７１】
１８  ファン（送風機）
２４  空気除菌装置
４１Ａ１〜４１Ｆ２  気液接触部材
５０  ケース
５０Ｆ  背面パネル（一側面）
５１  貯水タンク（水槽）
５２  電解ユニット
５３  電解水供給ポンプ
５９  食塩水タンク
６０Ａ  食塩水吸込管（連結管）
６１  食塩水供給ポンプ
２００  増設ケース
２００Ｃ  背面パネル（側面）
２００Ｃ１  貫通孔
２０１  リザーブタンク（増設食塩水タンク）
２０２  延出管
２０５  接続部材
Ａ  端部
δ  隙間
【図１】
0005550896.tif 000002
【図２】
0005550896.tif 000003
【図３】
0005550896.tif 000004
【図４】
0005550896.tif 000005
【図５】
0005550896.tif 000006
【図６】
0005550896.tif 000007
【図７】
0005550896.tif 000008
【図８】
0005550896.tif 000009
【図９】
0005550896.tif 000010